(57)【要約】【課題】  ロールペーパーを片手で引出し、そのまま片手で切断することができるトイレットペーパー保持具を提供する。【解決手段】  ロールペーパー７の解き放し接線とペーパー7aの引出し方向とのなす角度αを方向変換具10により９０度以下とした。また、前記方向変換具10の左右両側板３,４への設置位置を可変構造とした。さらに、ロールペーパー７の支持部材８を片持ち梁構造とした。また、前記支持部材８の先端部に段差8aを設けた。それに加えて、切刃９の位置を側板３,４の前縁より前方とし、切刃９として鋸歯9a形状を有する切断刃を用いることにより、上記の課題を解決した。【選択図】  図１
2005102908.tif 000002
【特許請求の範囲】
【請求項１】
方向変換具によりロールペーパーの解き放し接線とロールペーパーの引出し方向とのなす角度を９０度以下としたことを特徴とするトイレットペーパー保持具。
【請求項２】
前記方向変換具の側板への取付位置を可変構造としたことを特徴とする請求項１記載のトイレットペーパー保持具。
【請求項３】
ロールペーパーの支持部材を片持ち梁としたことを特徴とする請求項１または２記載のトイレットペーパー保持具。
【請求項４】
前記支持部材の先端部に段差を設けたことを特徴とする請求項３記載のトイレットペーパー保持具。
【請求項５】
切刃の位置を側板前端よりも前方としたことを特徴とする請求項１乃至４のいずれか１項に記載のトイレットペーパー保持具。
【請求項６】
前記切刃が鋸歯形状を有することを特徴とする請求項５記載のトイレットペーパー保持具。
【請求項７】
前記方向変換具を摩擦係数の大きな材料により被覆したことを特徴とする請求項１乃至６のいずれか１項に記載のトイレットペーパー保持具。
【請求項８】
前記ロールペーパーの支持部材の上方に前記方向変換具が配置され、前記支持部材の前方に切刃を配置したことを特徴とする請求項１乃至７のいずれか１項に記載のトイレットペーパー保持具。
【発明の詳細な説明】
【技術分野】
【０００１】
本発明は、ロール状のトイレットペーパー（以下、ロールペーパーという。）を保持し、切断するトイレットペーパー保持具に関する。
【背景技術】
【０００２】
従来、一般的なトイレットペーパー保持具は、図４に示すように上部カバー６の先端部6aを切刃として使用するようになっていた。そのため使用時には、ペーパー7aの端部を一方の手の指先で掴んで所要量だけ引出し、その後、上部カバー６を他方の手で押さえ付けてペーパー7aを切断していた。したがって、片手のみでペーパー7aを切断することは困難であった。
【０００３】
そこで、片手でペーパーを切断することができる各種のトイレットペーパー保持具が提案されている。たとえば、上部カバーの下面に制動体を備えると共に、上部カバーの先端近傍の上面に切刃を設けたものがある。（例えば、特許文献１参照）
また、ロールペーパーの引出しの容易化を図るため、芯棒を使用しないで装填したロールペーパーを保持するためのペーパーホルダー側板と、下部にロールペーパーの先端部を上から挿通する案内孔と横ズレ防止部を配置し、かつ前部に切断部を具備する受板を備えたトイレットペーパー保持具も提案されている。（例えば、特許文献２参照）
【特許文献１】特開平９−９８９０６号公報
【特許文献２】特開２０００−２８７８７４号公報
【発明の開示】
【発明が解決しようとする課題】
【０００４】
しかし、上部カバーの下面に制動体を備えると共に、上部カバーの先端近傍の上面に切刃を設けたものは、ペーパーを切断する際、ペーパーを掴んだままペーパーを上部カバー先端から基部の方に向けて押し出す必要があった。また、壁との狭い空間で操作する必要性もあり、人間の手の動作としては不自然なことから操作性が劣るものとなっていた。
【０００５】
また、芯棒を使用しないで装填したロールペーパーを保持するためのペーパーホルダー側板と、下部にロールペーパーの先端部を上から挿通する案内孔と横ズレ防止部を配置し、かつ前部に切断部を具備する受板を備えたものは、紙質が異なるロールペーパーを装填した場合、ロールペーパーの回転摩擦抵抗のばらつきが大きくなってしまい、操作性が低下するという問題があった。
【０００６】
本発明は上記の事情を鑑みてなされたものであり、ロールペーパーを片手で引出し、紙質が異なるペーパーであっても、そのまま片手で切断することができるトイレットペーパー保持具を提供することを目的とする。
【課題を解決するための手段】
【０００７】
請求項１記載の発明は、方向変換具によりロールペーパーの解き放し接線とロールペーパーの引出し方向とのなす角度を９０度以下としたことを特徴とするものである。
【０００８】
請求項２記載の発明は、請求項１記載の発明において、前記方向変換具の側板への取付位置を可変構造としたことを特徴とするものである。
【０００９】
請求項３記載の発明は、請求項１または２記載の発明において、ロールペーパーの支持部材を片持ち梁としたことを特徴とするものである。
【００１０】
請求項４記載の発明は、請求項３記載の発明において、前記支持部材の先端部に段差を設けたことを特徴とするものである。
【００１１】
請求項５記載の発明は、請求項１乃至４のいずれか１項に記載の発明において、切刃の位置を側板前端より前方としたことを特徴とするものである。
【００１２】
請求項６記載の発明は、請求項５記載の発明において、前記切刃が鋸歯形状を有することを特徴とするものである。
【００１３】
請求項７記載の発明は、請求項１乃至６のいずれか１項に記載の発明において、前記方向変換具を摩擦係数の大きな材料により被覆したことを特徴とするものである。
【００１４】
請求項８記載の発明は、請求項１乃至７のいずれか１項に記載の発明において、前記ロールペーパーの支持部材の上方に前記方向変換具が配置され、前記支持部材の前方に切刃を配置したことを特徴とするものである。
【発明の効果】
【００１５】
請求項１記載の発明によれば、ロールペーパーの解き放しに要する抵抗力が増大するので、ロールペーパーの慣性によりペーパーが余分に巻き放たれることがない。さらに、ペーパーを切断する際のロールペーパーの回転摩擦抵抗が大きくなり、片手でも容易に切断することができるようになる。
【００１６】
請求項２記載の発明によれば、方向変換具の側板への取付位置を変更することによりロールペーパーの解き放しに要する抵抗力を調整することができる。したがって、ロールペーパーの径が異なっても前記抵抗力を容易に調整することができる。
【００１７】
請求項３記載の発明によれば、ロールペーパーの保持具への装着をきわめて容易に行うことができる。
【００１８】
請求項４記載の発明によれば、ロールペーパーが支持部材から脱落するのを確実に防止することができる。
【００１９】
請求項５記載の発明によれば、側板前縁より前方においてペーパーが切断されるので次回使用時のペーパーの引出しが容易になる。
【００２０】
請求項６記載の発明によれば、鋸刃にペーパーの繊維が喰い込んでペーパーの先端位置が保持されることから、片手でも容易にペーパーの先端を掴むことができる。
【００２１】
請求項７記載の発明によれば、ペーパーとの摺動抵抗が大きな方向変換具を実現できるのでペーパーの引出しを確実に行うことができる。
【００２２】
請求項８記載の発明によれば、ロールペーパーの解き放しに要する抵抗力が増大するので、ロールペーパーの慣性によりペーパーが余分に巻き放たれることがなく、片手でも容易にペーパーを切断することができるようになる。
【発明を実施するための最良の形態】
【００２３】
以下、本発明を実施するための形態について図面を参照しながら説明する。図１は本発明の実施例１の構成を示した外観斜視図である。トイレットペーパー保持具１の本体は洗面所等の壁面に取り付けられる背板２と左右の側板３,４からなり、背板２の上面にはヒンジ５を介して上部カバー６が開閉自在に取り付けられている。また、左側板３の内側にはロールペーパー７を支持するための支持部材８が、該側板３の内面に直角に取り付けられている。すなわち、支持部材８は左側板３に片持ち梁として設けられている。また、左右の側板３,４の前方にはペーパー7aを切断するための切刃９が設けられている。さらに、支持部材８の上方であって、左右の側板３,４間の上端近くにはロールペーパー７から解き放されたペーパーの方向を変換するための方向変換具10が装着されている。なお、左右の側板３,４は同一形状ではなく、右側板４の中央部には下方から大きな切り欠き部4aが設けられ、右側板４は概略門型形状をしている。一方、左側板３にはそのような切り欠き部がなく、ほぼ中央部にロールペーパー７の支持部材８が装着可能なようになっている。
【００２４】
次に、本実施例によるロールペーパー７の保持具１への取付方法について説明する。先ず、ロールペーパー７の装着は右側板４の切り欠き部4aからロールペーパー７の中空芯を支持部材８に挿入することにより行う。また、右側板４の切り欠き部4aはロールペーパー７の外径寸法より大きく形成されていることから、ロールペーパー７は真横から支持部材８に容易に装着することができる。さらに、支持部材８は円形断面を有する棒材であり、ロールペーパー７の中空芯の孔内径より小さな外径とされており、ロールペーパー７を支持部材８に容易に装着できるようになっている。ここで、ロールペーパー７を支持部材８に装着する際には、右側板４の方から見てペーパーの解き放し方向が時計回転方向になるようにして装着する。このような回転方向とすることにより、ペーパー7aの引出し方向と解き放し接線7bとのなす角度αを容易に９０度以下の鋭角にすることができる。その後、解き放したペーパーの端部を方向変換具10の開口部10aから摺動部10bに配設し、さらに、ペーパーの端部を切刃９の前方まで引出して上部カバー６を左右の側板３,４の上面に被せるようにして閉じる。これでロールペーパー７の保持具１への装着が完了する。なお、上部カバー６は必須の構成部品ではないことから、省略することも可能であるが、保持具１全体の美観と清潔さを確保するという観点から、通常の用途においては上部カバー６を付属している。
【００２５】
続いて、ペーパーの引出し方法と切断方法について説明する。先ず、ペーパーが必要な際にはペーパー7aの端部を片手の指先で摘んで前方に引いてペーパー7aを引出す。その際、ロールペーパー７は右側から見て時計回転方向に回転してペーパーが解き放される。そして、解き放されたペーパーは保持具１の上部に設けられた方向変換具10により鋭角をもって方向変換されるようになっているため、方向変換の際ペーパーと方向変換具10の摺動部10bとの間に摩擦が生じ、方向変換角度αが小さいほど摩擦力が大きくなる。したがって、ペーパー7aの端部を前方に強く引いても過剰にペーパーが解き放されることはない。ここで、鋭角とは９０度以下の角度を意味するが、好ましい角度αは３０度から８０度程度である。角度αが小さすぎるとペーパーの引き出しの際、弱い紙質のペーパーでは切れ易くなる。一方、角度αが大きすぎると、切刃９によりペーパー7aを切断する際に摩擦力が不足して切断がうまく行かないこともある。したがって、前記角度αは３０度〜８０度程度が好適な値とされる。
【００２６】
また、所要量のペーパーを引出した段階で、引出したペーパー7aを切刃９において下方に向けて引くことによりペーパー7aを切断することができる。切刃９に鋸歯形状をしたものを用いると、ペーパー7aを切断した後においてもペーパー7aの繊維が鋸歯9aに係止することから、鋸歯9aにペーパー7aの先端部が残存する。したがって、次回使用する際においてペーパー7aの先端部を摘むことが容易になるので好都合である。なお、本実施例では切刃９を真上に向けて設置しているが、斜め前方に傾けて設置してもよい。
【００２７】
方向変換具10は左右の側板３,４の上端に近い位置に設置されるが、前後方向の位置を固定した場合、ロールペーパー７の径が異なるとペーパー7aの引出し方向と解き放し接線7bとのなす角度αが大きく変化することになる。そうすると、方向変換角度αが異なることに伴い方向変換具10とペーパーとの間に生じる摺動抵抗も大きく変化する。また、ロールペーパー７の種類により摺動抵抗も大きく異なる事情もある。したがって、これら変化する状態に適応可能とすべく、ペーパー7aの引出し方向と解き放し接線7bとのなす角度αを調節することができれば便利である。
【００２８】
そこで、方向変換具10の左右両側板３,４への取り付け位置を随時変更できるように左右の側板３,４には、所定間隔を隔てて幾つかの孔11を設けて方向変換具10の両端部を挿入できるようにしている。図１に示す方向変換具10は金属製の一本の棒材を４ケ所で略U字形に曲げて形成したことから軸方向のばね定数が小さい。したがって、方向変換具10の両端部に内方に向けて圧縮力を加えると容易に変形させることができる。そこで、方向変換具10の取り付け位置を変更したい場合には、いったん方向変換具10の両端部を内方に向けて圧縮して左右の両側板３,４から取り外し、方向変換具10を適正な位置に移動した後、圧縮力を開放すれば方向変換具10の両端部が左右両側板３,４の他の孔11に挿入されて再装着することができる。したがって、ペーパーの種類が異なることによりペーパーと方向変換具10との間の摺動抵抗が大きく異なっても適正な摺動抵抗を得ることができる。また、ペーパーの使用によりロールペーパー７の径が小さくなり、ペーパー7aの引出し方向と解き放し方向とのなす角度αが大きく変化しても、適正な摺動抵抗を付与することができる。
【００２９】
図２は方向変換具10の左右両側板３,４への取り付け方法を示す他の実施例２を示している。この実施例では左右両側板３,４の上面に方向変換具10の両端部を軸支できる切り込み部12を数ヶ所設けている。したがって、方向変換具10の両側板３,４への取り付け位置を変更する際には、方向変換具10を軸方向に圧縮する必要がなく、方向変換具10をいったん上方に持上げて他の位置の切り込み部12に嵌めこむだけで済む。したがって、方向変換具10の取り付け位置の調節は先の実施例１に較べて、より一層簡単に行うことができる。
【００３０】
次に、方向変換具10を図３に基づいて詳述する。図３中、（ａ）は図１に示したものと同一の方向変換具10であり、１本の金属棒を４ヶ所で略Ｕ字形状に曲げて形成されている。中央の開口部10aはペーパーの挿通を容易にするためのものであり、装着後のペーパーは摺動部10bにより方向変換される。この（ａ）に示すものはペーパーと金属とが直接摺動することになり、摩擦抵抗は大きくない。一方、（ｂ）に示すものは他の実施例３を示すものであり、ペーパーが摺動する部分は摩擦係数の大きな材料であるゴムまたは合成樹脂13により被覆されている。このように摩擦係数の大きな材料13で摺動部分を被覆すると、表面が滑らかで摩擦抵抗が低い紙質のペーパーであっても大きな摺動抵抗を付与することができる。したがって、より一層広範な紙質のペーパーに適応することができる
また、ロールペーパー７を支持する支持部材８の先端部に段差8aを設けると、ロールペーパー７が回転中において軸方向に移動して支持部材８から脱落するのを確実に防止することができる。なお、前記段差8aは大きな段差とする必要はなく、数ミリメートル程度の段差で十分である。この程度の段差であれば、支持部材８にロールペーパー７を装着する際にも何ら支障なく装着することができる。
【００３１】
なお、本実施例では左側板３にロールペーパー７の支持部材８を装着し、右側板４には下方から切り込み部4aを設けて右側からロールペーパー７を装着するようにしたが、左右の側板３,４の構成を入れ替えて実施することも可能である。また、保持具1の本体として背板２と左右両側板３,４および切刃９を個別部品ではなく、一体として構成することも可能である。
【産業上の利用可能性】
【００３２】
本発明は、ロール状のトイレットペーパーを保持し、片手で切断可能なトイレットペーパー保持具であって、家庭や事務所等のトイレに設置することができる。
【図面の簡単な説明】
【００３３】
【図１】トイレットペーパー保持具の外観斜視図である。（実施例１）
【図２】トイレットペーパー保持具の外観斜視図である。（実施例２）
【図３】方向変換具の外観斜視図である。（実施例３）
【図４】従来例によるトイレットペーパー保持具の外観斜視図である。
【符号の説明】
【００３４】
１  トイレットペーパー保持具
２  背板
３  左側板
４  右側板
７  ロールペーパー
7b  解き放し接線
８  支持部材
8a  段差
９  切刃
10  方向変換具
【図１】
2005102908.tif 000003
【図２】
2005102908.tif 000004
【図３】
2005102908.tif 000005
【図４】
2005102908.tif 000006